Podtech/llm-jp-corpus-v4-ja_patent huggingface dataset:
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
自動車のフロントガラス（１８）の端部領域（１６）への接続を確立する働きをする第１の接続領域（１４）と、前記フロントガラス（１８）に隣接する車両部品（２０）への接続を確立する働きをする第２の接続領域（２２）とを有するプロファイルストリップ（１２）を備え、また前記プロファイルストリップ（１２）に接続された補強ストリップ（２４）をも備えるプロファイルストリップ装置であって、前記補強ストリップ（２４）が、前記第２の接続領域（２２）に挿入されて恒久的にとどまる挿入部（２６）を有し、また前記隣接する車両部品（２０）への接続を確立する働きをする接続部（２８）をも有し、前記補強ストリップ（２４）が前記プロファイルストリップ（１２）に取外し可能に接続され、前記隣接する車両部品（２０）が水トラフのカバーであることを特徴とし、
前記プロファイルストリップ装置が未組立状態にあるとき、前記補強ストリップ（２４）の前記挿入部（２６）が、前記第２の接続領域（２２）に挿入された状態で、前記プロファイルストリップ（１２）の前記第２の接続領域（２２）のための輸送保護となり、前記プロファイルストリップ装置が前記自動車で組立状態にあるとき、前記補強ストリップ（２４）が、前記プロファイルストリップ（１２）への前記水トラフのカバーの接続を確立する働きをする装置を形成することを特徴とする、プロファイルストリップ装置。
【請求項２】
前記補強ストリップ（２４）が、前記補強ストリップ（２４）を前記プロファイルストリップ（１２）から取り外す働きをする取扱部を有しないことを特徴とする、請求項１に記載のプロファイルストリップ装置。
【請求項３】
前記挿入部（２６）が、掛止接続（５０）によって前記第２の接続領域（２２）内に固定されていることを特徴とする、請求項１又は請求項２に記載のプロファイルストリップ装置。
【請求項４】
前記掛止接続（５０）が、前記プロファイルストリップ（１２）上に構成され、前記補強ストリップ（２４）の掛止要素受け部（５６）と相互に作用する、返し状掛止要素（５２）を備えることを特徴とする、請求項３に記載のプロファイルストリップ装置。
【請求項５】
前記接続部（２８）が、前記隣接する車両部品（２０）への一体結合接続を確立する働きをする一体結合部（３０）を有することを特徴とする、請求項１〜請求項４のいずれか１項に記載のプロファイルストリップ装置。
【請求項６】
前記接続部（２８）が、前記隣接する車両部品（２０）に接続することができる中間要素（６０）に接続されていることを特徴とする、請求項１〜請求項５のいずれか１項に記載のプロファイルストリップ装置。
【請求項７】
前記中間要素（６０）が、接着部（６２）を備えること、又はこうした接着部（６２）からなることを特徴とする、請求項６に記載のプロファイルストリップ装置。
【請求項８】
前記接着部（６２）が、前記隣接する車両部品（２０）に貼り付けできることを特徴とする、請求項７に記載のプロファイルストリップ装置。
【請求項９】
前記接着部（６２）から剥がすことができるカバー層が設けられていることを特徴とする、請求項７又は請求項８に記載のプロファイルストリップ装置。
【請求項１０】
前記補強ストリップ（２４）の前記接続部（２８）が、前記隣接する車両部品（２０）への、又は前記隣接する車両部品（２０）に接続することができる中間要素（６０）への確実接続を確立する働きをする、確実接続部（６６）を有することを特徴とする、請求項１〜請求項９のいずれか１項に記載のプロファイルストリップ装置。
【請求項１１】
請求項１〜請求項１０のいずれか１項に記載のプロファイルストリップ装置と、フロントガラス（１８）とを備える、組立モジュール。
【請求項１２】
請求項１〜１０のいずれか１項に記載のプロファイルストリップ装置、又は請求項１１に記載の組立モジュールを備え、また水トラフのカバーによって形成される隣接する車両部品（２０）をも備える、車両モジュール（１０）。
【請求項１３】
前記補強ストリップ（２４）の前記接続部（２８）、及び前記隣接する車両部品（２０）が、互いに一体結合されていることを特徴とする、請求項１２に記載の車両モジュール（１０）。
【請求項１４】
前記挿入部（２６）が前記第２の接続領域（２２）に挿入された状態で、前記補強ストリップ（２４）の前記接続部（２８）が、前記プロファイルストリップ（１２）の外側シール面（３４）に対して引っ込んでおり、それにより、前記隣接する車両部品（２０）が前記プロファイルストリップ（１２）に接続された状態で、前記車両部品（２０）の外面（４０）及び前記外側シール面（３４）が、同じ高さに配置されていることを特徴とする、請求項１２又は請求項１３に記載の車両モジュール（１０）。
【請求項１５】
前記接続部（２８）が、前記隣接する車両部品（２０）に接続された中間要素（６０）に接続されていることを特徴とする、請求項１２〜請求項１４のいずれか１項に記載の車両モジュール（１０）。
【請求項１６】
前記中間要素（６０）が、接着部（６２）を備えること、又はこうした接着部（６２）からなることを特徴とする、請求項１５に記載の車両モジュール（１０）。
【請求項１７】
前記補強ストリップ（２４）の前記接続部（２８）が、前記隣接する車両部品（２０）に、又は前記隣接する車両部品（２０）に接続された中間要素（６０）に、確実に接続されていることを特徴とする、請求項１２〜請求項１６のいずれか１項に記載の車両モジュール（１０）。
【請求項１８】
前記隣接する車両部品（２０）及び前記補強ストリップ（２４）が、第１の接続手段（４６）によって互いに接続されており、前記第１の接続手段（４６）、及び前記補強ストリップ（２４）の前記挿入部（２６）と前記プロファイルストリップ（１２）の前記第２の接続領域（２２）との間で有効な第２の接続手段（４８）が、前記第１の接続手段（４６）を取り外す作動力が前記第２の接続手段（４８）を取り外す作動力よりも高いように構成されていることを特徴とする、請求項１２〜請求項１７のいずれか１項に記載の車両モジュール（１０）。
【請求項１９】
前記第１の接続手段（４６）が非破壊的に取り外すことができないことを特徴とする、請求項１８に記載の車両モジュール（１０）。
【請求項２０】
前記プロファイルストリップ（１２）がフロントガラス（１８）の端部領域（１６）に接続される前、又は接続された後に、前記補強ストリップ（２４）の前記挿入部（２６）が前記プロファイルストリップ（１２）の前記第２の接続領域（２２）に挿入され、
続いて、
前記水トラフのカバーによって形成される前記隣接する車両部品（２０）が前記補強ストリップ（２４）に接続される、ことを特徴とする、請求項１２〜請求項１９のいずれか１項に記載の車両モジュール（１０）の組立方法。
【請求項２１】
それにより、前記フロントガラス（１８）が前記自動車のフロントガラス受け部に接続される前、又は接続された後に、前記隣接する車両部品（２０）が前記補強ストリップ（２４）に接続される、請求項２０に記載の方法。
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
所定の曲率半径（Ｒ３）を有するように湾曲して形成された胴体；
前記胴体から上部方向に延びるように形成されるピン部；
前記胴体の一側に形成されてコイルと結合する結合部；
前記胴体の下部に突出するように形成された第１突出部；および
前記胴体の下部に突出するように形成された第２突出部を含み、
前記第２突出部は前記胴体を基準として半径方向内側に離隔して配置され、
前記胴体を基準として前記第２突出部は前記ピン部の反対側に配置され、
前記胴体、前記ピン部、前記結合部、前記第１突出部および前記第２突出部は一体に形成され、
前記ピン部のみが前記胴体の外周面から半径方向外側に所定の間隔（ｄ１）で離隔して配置されている、パワーターミナル。
【請求項２】
前記胴体を基準として前記ピン部は外側に離隔して配置される、請求項１に記載のパワーターミナル。
【請求項３】
前記ピン部は前記胴体と離隔して配置される電源連結部；および
前記胴体と前記電源連結部間に配置される第１連結部を含む、請求項２に記載のパワーターミナル。
【請求項４】
前記電源連結部の端部は円柱状に形成される、請求項３に記載のパワーターミナル。
【請求項５】
前記胴体の下面を基準として前記結合部の高さ（ｈ１）は前記胴体の高さ（ｈ２）より高く配置される、請求項１に記載のパワーターミナル。
【請求項６】
ロータ；
前記ロータの外側に配置されるステータ；
前記ロータの内側に配置されるシャフト；および
前記ステータの上部に配置されるターミナルを含み、
前記ターミナルは、
胴体；
前記胴体から上部方向に延びるように形成されるピン部；
前記胴体の一側に形成されてコイルと結合する結合部；
前記胴体の下部に突出するように形成された第１突出部；および
前記胴体の下部に突出するように形成された第２突出部を含み、
前記胴体を基準として前記第２突出部は内側に離隔して配置され
前記胴体を基準として前記第２突出部は前記ピン部の反対側に配置され、
前記胴体、前記ピン部、前記結合部、前記第１突出部および前記第２突出部は一体に形成され、
前記ピン部のみが前記胴体の外周面から外側に所定の間隔（ｄ１）で離隔して配置されている、モーター。
【請求項７】
前記ステータのインシュレーターの上部に形成された挿入口には前記第１突出部および前記第２突出部が結合され、
前記胴体を基準として前記第２突出部は内側に離隔して配置される、請求項６に記載のモーター。
【請求項８】
前記ステータは、
円筒形の本体と前記本体の円周方向に沿って前記本体の中心から放射方向に突出するように形成された複数個のトゥースを含むスキュータイプのステータコア；
前記ステータコアに配置されるインシュレーター；および
前記インシュレーターに巻線されるコイルを含み、
前記第１突出部と前記第２突出部は前記インシュレーターに形成された挿入口に篏合される、請求項６に記載のモーター。
【請求項９】
円筒形のハウジング本体；および前記ハウジング本体の端部から外側に突出するように形成されたフランジ；を含むハウジングをさらに含み、
前記フランジに形成された貫通孔に前記ピン部が貫通して結合される、請求項８に記載のモーター。
【請求項１０】
円筒形の本体と前記本体の円周方向に沿って前記本体から放射方向に突出するように形成された複数個のトゥースを含むスキュータイプのステータコア；
前記ステータコアに配置されるインシュレーター；および
前記インシュレーターに巻線されるコイルを含み、
前記インシュレーターはインサート射出方式によって前記トゥースに配置され、
前記インシュレーターの外半径が前記トゥースの外半径よりも小さく形成されることにより、前記トゥースと前記インシュレーターの間に隙間（ｄ）が形成されている、請求項６に記載のモーター。
【請求項１１】
前記トゥースは複数個の第１トゥースおよび前記第１トゥースの間に配置されている複数個の第２トゥースを含み、
前記第１トゥースの幅（Ｗ１）は前記第２トゥースの幅（Ｗ２）より大きい、請求項１０に記載のモーター。
【請求項１２】
前記第１トゥースは「Ｔ」字状で形成され、
前記第２トゥースは「ｌ」字状で形成されている、請求項１１に記載のモーター。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
ワイヤレス電力および通信を受信するための装置であって、
金属構造物を介して、第１の周波数において発振するワイヤレス充電場から、ワイヤレス充電電力および通信を受信するための手段であって、前記金属構造物が、前記金属構造物の第１の表面及び第２の表面を通して延びるスロットを画定する、手段と、
前記受信された電力および通信を受信回路に搬送するための手段と、を備え、
前記金属構造物がさらに、複数の遮蔽片を含み、前記スロット及び前記遮蔽片の構成を介して、前記第１の周波数以外の周波数における干渉から、前記受信回路を遮蔽するように構成された、装置。
【請求項２】
前記装置が、前記受信するための手段の第１の部分と前記受信するための手段の第２の部分とを接続する、金属ブリッジをさらに備え、前記スロットが、前記受信するための手段を前記第１の部分および前記第２の部分に分割する、請求項１に記載の装置。
【請求項３】
前記受信するための手段が、前記受信回路を収容するハウジングをさらに備える、請求項１に記載の装置。
【請求項４】
前記受信回路が、体内に移植された移植可能デバイスの１つまたは複数の構成要素を備え、前記装置が、前記電力および通信を前記移植可能デバイスに搬送するための手段をさらに備える、請求項３に記載の装置。
【請求項５】
前記装置が、第１の金属ブリッジと、第２の金属ブリッジと、第３の金属ブリッジとをさらに備え、前記スロットが、前記受信するための手段を第１の部分、第２の部分、第３の部分、および第４の部分に分割し、前記第１の金属ブリッジ、前記第２の金属ブリッジ、および前記第３の金属ブリッジが、前記第１の部分、前記第２の部分、前記第３の部分、および前記第４の部分を接続して、前記スロットの長さを最大にするように構成される、請求項１に記載の装置。
【請求項６】
前記装置が、第１のスロット、および前記第１のスロットに直交して接続された第２のスロットを進む、前記受信するための手段上の電流を誘導するための手段をさらに備え、前記第１のスロットおよび前記第２のスロットが、前記スロットを形成する、請求項１に記載の装置。
【請求項７】
前記第１のスロットおよび前記第２のスロットのうちの１つまたは複数が、生体適合性のある材料で充填され、前記生体適合性のある材料が、セラミック、アルミニウム−ジルコニア、およびエポキシのうちの１つである、請求項６に記載の装置。
【請求項８】
前記第１のスロットおよび前記第２のスロットのうちの１つまたは複数が、前記受信するための手段内に収容された１つまたは複数の回路から、前記受信するための手段の外側のセンサーまたはデバイスへの接続のための経路を提供する、請求項６に記載の装置。
【請求項９】
前記装置が、前記金属構造物を介してワイヤレス通信を送信するように構成された、送信回路をさらに備え、前記金属構造物が、受信された前記ワイヤレス通信を、前記送信回路から別のデバイスに送信する、請求項１に記載の装置。
【請求項１０】
前記金属構造物が、第１の周波数において発振する前記ワイヤレス充電場から、前記通信を受信するようにさらに構成される、請求項１に記載の装置。
【請求項１１】
ワイヤレス電力および通信を受信する方法であって、
金属構造物を介して、第１の周波数において発振するワイヤレス充電場から、ワイヤレス充電電力および通信を受信するステップであって、前記金属構造物が、前記金属構造物の第１の表面から前記金属構造物の第２の表面に延びるスロットを画定し、前記金属構造物を通して、前記第１の表面が前記第２の表面に対向する、ステップと、
第１の接続ワイヤおよび第２の接続ワイヤを介して、前記受信された電力および通信を受信回路に搬送するステップと、
前記スロット及び前記金属構造物の複数の遮蔽片の構成を介して、前記第１の周波数以外の周波数における干渉から、前記受信回路を遮蔽するステップと
を含む方法。
【請求項１２】
前記方法が、第１のスロット、および前記第１のスロットに直交して接続された第２のスロットを進む、前記金属構造物上の電流を誘導するステップをさらに含み、前記第１のスロットおよび前記第２のスロットが、前記スロットを形成する、請求項１１に記載の方法。
【請求項１３】
前記方法が、前記金属構造物を介してワイヤレス通信を送信するステップをさらに含み、前記金属構造物が、受信された前記ワイヤレス通信を、送信回路から別のデバイスに送信する、請求項１１に記載の方法。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
継続妊娠の胎児の細胞のDNAを単離する方法であって、
妊娠中の被験者由来の母体細胞及び胎児絨毛外栄養膜細胞を含有する母体子宮頸管内試料を提供することと、
前記母体子宮頸管内試料から胎児絨毛外栄養膜細胞を単離し、母体DNAによる汚染のある単離胎児絨毛外栄養膜細胞を生成することと、
前記単離胎児絨毛外栄養膜細胞を溶解することと、
前記溶解した胎児絨毛外栄養膜細胞から胎児核を単離し、単離胎児核を生成することにより、前記汚染母体DNAの少なくとも一部を除去することと、
前記単離胎児核を溶解することと、
前記単離胎児核からゲノムDNAを精製し、精製胎児ゲノムDNAを生成することと、を含む、方法。
【請求項２】
更に、前記単離胎児核を処理して、前記汚染母体DNAの少なくとも一部を除去することを含む、請求項1記載の方法。
【請求項３】
更に、前記単離胎児核を溶解する前に、前記単離胎児核をDNaseにより処理することにより、前記汚染母体DNAの少なくとも一部を除去することを含む、請求項1又は2記載の方法。
【請求項４】
更に、胎児絨毛外栄養膜細胞を前記母体子宮頸管内試料から単離する前に、前記単離絨毛外栄養膜細胞をDNaseにより処理することにより、前記汚染母体DNAの少なくとも一部を除去することを含む、請求項1乃至3の何れかに記載の方法。
【請求項５】
更に、単離胎児絨毛外栄養膜細胞を溶解する前に、前記単離絨毛外栄養膜細胞をDNaseにより処理することにより、前記汚染母体DNAの少なくとも一部を除去することを含む、請求項1乃至4の何れかに記載の方法。
【請求項６】
前記胎児絨毛外栄養膜細胞をDNaseにより処理する前に、前記胎児絨毛外栄養膜細胞を固定し、前記DNaseを支持体に付着させ、前記胎児絨毛外栄養膜細胞への前記DNaseの侵入を防止する、請求項1乃至5の何れかに記載の方法。
【請求項７】
前記胎児絨毛外栄養膜細胞は、前記胎児絨毛外栄養膜細胞を前記DNaseにより処理する前に固定されない、請求項1乃至5の何れかに記載の方法。
【請求項８】
前記精製胎児ゲノムDNAは、10％乃至100％の範囲の胎児割合を特徴とする、請求項1乃至7の何れかに記載の方法。
【請求項９】
前記精製胎児ゲノムDNAは、25％乃至100％の範囲の胎児割合を特徴とする、請求項1乃至8の何れかに記載の方法。
【請求項１０】
継続妊娠の胎児の細胞のDNAをアッセイする方法であって、
妊娠中の被験者由来の胎児絨毛外栄養膜細胞を含有する母体子宮頸管内試料を提供することと、
前記母体子宮頸管内試料から胎児絨毛外栄養膜細胞を単離することと、
前記単離胎児絨毛外栄養膜細胞を溶解することと、
前記溶解した胎児絨毛外栄養膜細胞から胎児核を単離することと、
前記単離胎児核を溶解し、前記単離胎児核からゲノムDNAを精製することと、
前記精製胎児ゲノムDNAをアッセイすることにより、前記精製胎児ゲノムDNAのゲノムDNA配列の特性を決定し、これにより継続妊娠の胎児の細胞のゲノムDNAをアッセイすることと、を含む、方法。
【請求項１１】
前記精製胎児ゲノムDNAをアッセイすることにより、前記精製胎児ゲノムDNAのゲノムDNA配列内の少なくとも1つの個別のヌクレオチドの特性を決定し、これにより1塩基の分解能で継続妊娠の胎児の細胞のDNAをアッセイする、請求項10記載の方法。
【請求項１２】
前記アッセイすることは、配列決定、高分解能融解曲線分析、メチル化分析、キャピラリ電気泳動、質量分析、一本鎖高次構造多型分析、単一塩基伸長、制限断片長多型からなる群から選択される方法を含む、請求項10又は11記載の方法。
【請求項１３】
前記配列決定は、大規模並列シグネチャ配列決定、単一分子リアルタイム配列決定、ポロニーシーケンシング、イオン半導体、パイロシーケンシング、合成による配列決定、ライゲーションによる配列決定、及び鎖終結配列決定からなる群から選択される方法を含む、請求項10乃至12の何れかに記載の方法。
【請求項１４】
更に、前記単離胎児核を処理して、前記汚染母体DNAの少なくとも一部を除去することを含む、請求項10乃至13の何れかに記載の方法。
【請求項１５】
更に、前記単離胎児核を溶解する前に、前記単離胎児核をDNaseにより処理することにより、前記汚染母体DNAの少なくとも一部を除去することを含む、請求項10乃至14の何れかに記載の方法。
【請求項１６】
更に、胎児絨毛外栄養膜細胞を前記母体子宮頸管内試料から単離する前に、前記単離絨毛外栄養膜細胞をDNaseにより処理することにより、前記汚染母体DNAの少なくとも一部を除去することを含む、請求項10乃至15の何れかに記載の方法。
【請求項１７】
更に、単離胎児絨毛外栄養膜細胞を溶解する前に、前記単離絨毛外栄養膜細胞をDNaseにより処理することにより、前記汚染母体DNAの少なくとも一部を除去することを含む、請求項10乃至16の何れかに記載の方法。
【請求項１８】
前記胎児絨毛外栄養膜細胞をDNaseにより処理する前に、前記胎児絨毛外栄養膜細胞を固定し、前記DNaseを支持体に付着させ、前記胎児絨毛外栄養膜細胞への前記DNaseの侵入を防止する、請求項10乃至17の何れかに記載の方法。
【請求項１９】
前記胎児絨毛外栄養膜細胞は、前記胎児絨毛外栄養膜細胞を前記DNaseにより処理する前に固定されない、請求項10乃至17の何れかに記載の方法。
【請求項２０】
前記精製胎児ゲノムDNAは、10％乃至100％の範囲の胎児割合を特徴とする、請求項10乃至19の何れかに記載の方法。
【請求項２１】
前記精製胎児ゲノムDNAは、25％乃至100％の範囲の胎児割合を特徴とする、請求項10乃至20の何れかに記載の方法。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
共有無線周波数スペクトル帯域の利用可能なアップリンク周波数リソースの指示およびスケジューリングされていないアップリンク制御メッセージのペイロードサイズの指示を含む、共通ダウンリンク制御メッセージを受信するステップと、
前記スケジューリングされていないアップリンク制御メッセージに含まれるべきアップリンク制御情報(UCI)および前記ペイロードサイズの前記指示に少なくとも一部基づいて、前記スケジューリングされていないアップリンク制御メッセージの前記ペイロードサイズを選択するステップと、
前記利用可能なアップリンク周波数リソースを使用して、前記ペイロードサイズを用いて前記スケジューリングされていないアップリンク制御メッセージを送信するステップと
を備える、方法。
【請求項２】
前記スケジューリングされていないアップリンク制御メッセージの前記ペイロードサイズを選択するステップが、
利用可能なペイロードサイズのセットから前記ペイロードサイズを選択するステップを備える、請求項1に記載の方法。
【請求項３】
送信を認めるべきコンポーネントキャリアの数、ハイブリッド自動再送要求(HARQ)プロセスの数、チャネル状態情報(CSI)を搬送するためのビットの数、システム帯域幅、UCI多重化方式、またはユーザ機器(UE)のカバレッジ範囲に少なくとも一部基づいて、前記スケジューリングされていないアップリンク制御メッセージに含まれるべき前記UCIを特定するステップをさらに備える、請求項1に記載の方法。
【請求項４】
前記スケジューリングされていないアップリンク制御メッセージが、前記利用可能なアップリンク周波数リソースと関連付けられる4つ以下の変調シンボルを使用して送信される、請求項1に記載の方法。
【請求項５】
利用可能なアップリンク周波数リソースの前記指示が、サブフレームタイプの指示である、請求項1に記載の方法。
【請求項６】
前記共通ダウンリンク制御メッセージが、前記スケジューリングされていないアップリンク制御メッセージに対するトリガと、前記スケジューリングされていないアップリンク制御メッセージに含まれるべき前記UCIのフォーマットと関連付けられる追加の情報とを含む、請求項1に記載の方法。
【請求項７】
前記利用可能なアップリンク周波数リソースが、周期的なアップリンクサブフレームと関連付けられ、
前記周期的なアップリンクサブフレームが、ランダムアクセス送信のために指定される、請求項1に記載の方法。
【請求項８】
ワイヤレス通信のための装置であって、
共有無線周波数スペクトル帯域の利用可能なアップリンク周波数リソースの指示およびスケジューリングされていないアップリンク制御メッセージのペイロードサイズの指示を含む、共通ダウンリンク制御メッセージを受信するための手段と、
前記スケジューリングされていないアップリンク制御メッセージに含まれるべきアップリンク制御情報(UCI)および前記ペイロードサイズの前記指示に少なくとも一部基づいて、前記スケジューリングされていないアップリンク制御メッセージの前記ペイロードサイズを選択するための手段と、
前記利用可能なアップリンク周波数リソースを使用して、前記ペイロードサイズを用いて前記スケジューリングされていないアップリンク制御メッセージを送信するための手段と
を備える、装置。
【請求項９】
前記スケジューリングされていないアップリンク制御メッセージの前記ペイロードサイズを選択するための前記手段が、
利用可能なペイロードサイズのセットから前記ペイロードサイズを選択するための手段を備える、請求項8に記載の装置。
【請求項１０】
送信を認めるべきコンポーネントキャリアの数、ハイブリッド自動再送要求(HARQ)プロセスの数、チャネル状態情報(CSI)を搬送するためのビットの数、システム帯域幅、UCI多重化方式、またはユーザ機器(UE)のカバレッジ範囲に少なくとも一部基づいて、前記スケジューリングされていないアップリンク制御メッセージに含まれるべき前記UCIを特定するための手段をさらに備える、請求項8に記載の装置。
【請求項１１】
前記スケジューリングされていないアップリンク制御メッセージが、前記利用可能なアップリンク周波数リソースと関連付けられる4つ以下の変調シンボルを使用して送信される、請求項8に記載の装置。
【請求項１２】
利用可能なアップリンク周波数リソースの前記指示が、サブフレームタイプの指示である、請求項8に記載の装置。
【請求項１３】
前記共通ダウンリンク制御メッセージが、前記スケジューリングされていないアップリンク制御メッセージに対するトリガと、前記スケジューリングされていないアップリンク制御メッセージに含まれるべき前記UCIのフォーマットと関連付けられる追加の情報とを含む、請求項8に記載の装置。
【請求項１４】
前記利用可能なアップリンク周波数リソースが、周期的なアップリンクサブフレームと関連付けられ、
前記周期的なアップリンクサブフレームが、ランダムアクセス送信のために指定される、請求項8に記載の装置。
【請求項１５】
コンピュータに、請求項1乃至7のいずれか1項に記載の方法を実行させる命令を含むプログラム。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
抗原結合部分を通じてヒト腫瘍壊死因子受容体１（ｈｕＴＮＦＲ１）を一価で認識するヒトまたはヒト化抗体構築物である、ｈｕＴＮＦＲ１受容体の阻害剤であって、抗原結合部分が
−相補性決定領域（ＣＤＲ）配列ＣＤＲＨ１、ＣＤＲＨ２、およびＣＤＲＨ３を含む、重鎖可変（ＶＨ）ドメイン、ならびに
−ＣＤＲ配列ＣＤＲＬ１、ＣＤＲＬ２、およびＣＤＲＬ３を含む、軽鎖可変（ＶＬ）ドメイン
を含む、ここで：
ａ）ＣＤＲＨ１配列が配列番号１と同定され；
ｂ）ＣＤＲＨ２配列が配列番号１０と同定され；
ｃ）ＣＤＲＨ３配列が配列番号３と同定され；
ｄ）ＣＤＲＬ１配列が配列番号４と同定され；
ｅ）ＣＤＲＬ２配列が配列番号５と同定され；そして
ｆ）ＣＤＲＬ３配列が配列番号１１と同定される、
前記阻害剤。
【請求項２】
抗体構築物が、Ｆａｂ分子、ｓｃＦｖ分子、ジスルフィド安定化Ｆｖ（ｄｓＦｖ）、ハーフＩｇＧ１抗体、およびＦｖドメインからなる群より選択される抗体を含む、請求項１の阻害剤。
【請求項３】
抗体構築物が、Ｆａｂ、ｓｃＦｖ、ｄｓＦｖ、またはＦｖドメインのいずれかであり、抗体Ｆｃ断片に融合している、請求項２の阻害剤。
【請求項４】
抗体構築物が、ポリエチレングリコール（ＰＥＧ化）、グリコシル化ＰＥＧ、ヒドロキシルエチルデンプン（ＨＥＳ化）、またはポリシアル酸（ＰＳＡ）への連結によって修飾されている、請求項１の阻害剤。
【請求項５】
ＶＨドメインが配列番号１２と同定される親ＶＨドメインのアフィニティ成熟変異体であり；ＶＬドメインが配列番号１６と同定される親ＶＬドメインのアフィニティ成熟変異体である、請求項１の阻害剤。
【請求項６】
ａ）ＶＨドメインが、配列番号１３、または配列番号１３への少なくとも９５％の配列同一性を含むその機能的活性変異体を含むか、または該配列からなり；そしてまたは
ｂ）ＶＬドメインが、配列番号１７または配列番号１９、または配列番号１７または配列番号１９への少なくとも９５％の配列同一性を含むその機能的活性変異体からなる群より選択される配列を含むか、または該配列からなる、
請求項１の阻害剤。
【請求項７】
以下のグループメンバーｉ）〜ｉｉ）からなる群より選択される、ＶＨおよびＶＬドメインの組み合わせを含む、請求項１の阻害剤：  ｉ）ＶＨが配列番号１３を含むかまたは配列番号１３からなり、そして
ＶＬが配列番号１７を含むかまたは配列番号１７からなる；  ｉｉ）ＶＨが配列番号１３を含むかまたは配列番号１３からなり、そして
ＶＬが配列番号１９を含むかまたは配列番号１９からなる。
【請求項８】
動的光散乱法によって決定される、少なくとも６０℃の熱安定性を、抗体構築物が有する、請求項１の阻害剤。
【請求項９】
請求項１〜８のいずれかの阻害剤および薬学的に許容されうるキャリアーを含む薬学的調製物。
【請求項１０】
組換え哺乳動物発現系を使用して抗体構築物を発現する、請求項１〜８のいずれかの阻害剤を産生する方法。
【請求項１１】
抗腫瘍壊死因子（ＴＮＦ）療法または非生物学的疾患修飾性抗リウマチ薬剤（ＤＭＡＲＤ）が必要とされる疾患に罹患しているヒト被験体を治療する際に使用するための、請求項１〜８のいずれかの阻害剤。
【請求項１２】
被験体が抗薬剤抗体を発展させている、請求項１１記載の使用のための阻害剤。
【請求項１３】
請求項１１に記載の使用のための阻害剤であって、被験体が
ａ）関節、皮膚および腸の急性または慢性炎症；および／または
ｂ）自己免疫疾患、関節リウマチ、乾癬、乾癬性関節炎、若年性関節炎、強直性脊椎炎、クローン病、多発性硬化症、うっ血性心不全、代謝性疾患、サイトカイン放出症候群、敗血症ショック、急性および慢性神経変性疾患、脳卒中、アルツハイマーおよびパーキンソン病、潰瘍性結腸炎、膵炎、慢性閉塞性肺疾患（ＣＯＰＤ）、急性劇症ウイルスまたは細菌感染、代謝性疾患、慢性神経変性疾患、原因病理学的仲介因子としてＴＮＦ／ＴＮＦＲ１を伴う遺伝病、周期熱症候群、ケルビズム症候群、および癌
に罹患している、前記阻害剤。
【請求項１４】
請求項１〜８のいずれかの阻害剤の有効量を含む、抗ＴＮＦ療法が必要なヒト被験体を治療するための医薬。
【請求項１５】
被験体が、抗ＴＮＦ療法または非生物学的ＤＭＡＲＤ療法剤が適用される疾患に罹患しており、好ましくは第一選択治療として、あるいは抗ＴＮＦまたは非生物学的ＤＭＡＲＤ療法剤が失敗した場合の第二選択治療としての、請求項１４の医薬。
【請求項１６】
被験体が抗薬剤抗体を発展させている、請求項１４の医薬。
【請求項１７】
請求項１４の医薬であって、被験体が
ａ）関節、皮膚および腸の急性または慢性炎症；および／または
ｂ）自己免疫疾患、関節リウマチ、乾癬、乾癬性関節炎、若年性関節炎、強直性脊椎炎、クローン病、多発性硬化症、うっ血性心不全、代謝性疾患、サイトカイン放出症候群、敗血症ショック、急性および慢性神経変性疾患、脳卒中、アルツハイマーおよびパーキンソン病、潰瘍性結腸炎、膵炎、ＣＯＰＤ、急性劇症ウイルスまたは細菌感染、代謝性疾患、慢性神経変性疾患、原因病理学的仲介因子としてＴＮＦ／ＴＮＦＲ１を伴う遺伝病、周期熱症候群、ケルビズム症候群、および癌
に罹患している、前記医薬。
【請求項１８】
請求項１〜８のいずれかの阻害剤をコードする単離核酸。
【請求項１９】
請求項１８の核酸を含む発現ベクター。
【請求項２０】
請求項１８の核酸を含む、単離組換え宿主細胞。
【請求項２１】
調製物が非経口使用による使用のために配合されている、請求項９の薬学的調製物。
【請求項２２】
非経口使用が、静脈内または皮下投与によるものである、請求項２１の薬学的調製物。
【請求項２３】
チャイニーズハムスター卵巣(ＣＨＯ)産生細胞株を使用する、請求項１０の方法。
【請求項２４】
第一選択治療として、あるいは抗ＴＮＦまたは非生物学的ＤＭＡＲＤ療法剤が失敗した場合の第二選択治療として使用するための、請求項１１の阻害剤。
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
基地局(BS)によるワイヤレス通信のための方法であって、
サウンディング基準信号(SRS)と、干渉に関するフィードバックまたは白色化行列のうちの少なくとも1つとを1つまたは複数のユーザ機器(UE)から受信するステップであって、干渉に関する前記フィードバックまたは白色化行列のうちの少なくとも1つが、前記SRSに対して使用される回転を介して暗黙のうちに提供される、ステップと、
前記SRSと、干渉に関する前記フィードバックまたは前記白色化行列のうちの少なくとも1つとに少なくとも部分的に基づいて、1つまたは複数のUEのグループへの送信用のビームフォーミングパラメータを決定するステップと、
前記決定されたビームフォーミングパラメータを使用して、前記グループの中のUEへチャネル状態情報基準信号(CSI-RS)を送信するステップと
を備える方法。
【請求項２】
前記ビームフォーミングパラメータが、どのUEが前記グループの中にあるのか、1つまたは複数のプリコーダ、または空間ストリームの数のうちの少なくとも1つを備える、請求項1に記載の方法。
【請求項３】
前記少なくとも1つのUEからCSIフィードバックを受信するステップと、
前記CSIフィードバックにさらに基づいて、前記UEへの送信用の前記ビームフォーミングパラメータを決定するステップと
をさらに備える、請求項1に記載の方法。
【請求項４】
前記受信されたSRSに基づいてチャネル推定を実行するステップと、
前記チャネル推定に基づいて前記ビームフォーミングパラメータを決定するステップと
をさらに備える、請求項1に記載の方法。
【請求項５】
前記SRSが、第1のサブフレームのアップリンク部分の中で受信され、
前記CSI-RSが、第2のサブフレームのダウンリンク部分の中で送信され、ダウンリンク送信のために割り振られる、前記第2のサブフレームの中のリソースの量が、アップリンク送信のために割り振られるリソースの量よりも多い、
請求項1に記載の方法。
【請求項６】
前記SRSが、第1のサブフレームのアップリンク部分の中で受信され、
前記CSI-RSが、第2のサブフレームのダウンリンク部分の中で送られ、アップリンク送信のために割り振られる、前記第2のサブフレームの中のリソースの量が、ダウンリンク送信のために割り振られるリソースの量よりも多い、
請求項1に記載の方法。
【請求項７】
CSI-RSが、すべてのサブフレームの共通ダウンリンク部分の中で送信される、
請求項1に記載の方法。
【請求項８】
前記SRSの回転を決定するステップと、
前記決定された回転に少なくとも部分的に基づいて、前記ビームフォーミングパラメータを決定するステップと
をさらに備える、請求項1に記載の方法。
【請求項９】
ユーザ機器(UE)によるワイヤレス通信のための方法であって、
サウンディング基準信号(SRS)に対する回転を決定するステップと、
回転された前記SRSと、干渉に関するフィードバックまたは白色化行列のうちの少なくとも1つとを基地局(BS)に送信するステップと、
ビームフォーミングされたチャネル状態情報基準信号(CSI-RS)を前記BSから受信するステップと、
前記ビームフォーミングされたCSI-RSに基づいてCSIフィードバックを決定するステップと、
前記CSIフィードバックを前記BSへ送信するステップと
を備える方法。
【請求項１０】
前記CSIフィードバックが、チャネル品質表示(CQI)、ランクインジケータ(RI)、干渉に関する前記フィードバック、または位相補正行列のうちの少なくとも1つを備える、請求項9に記載の方法。
【請求項１１】
前記SRSが、第1のサブフレームのアップリンク部分の中で送信され、
前記CSI-RSが、第2のサブフレームのダウンリンク部分の中で受信され、ダウンリンク送信のために割り振られる、前記第2のサブフレームの中のリソースの量が、アップリンク送信のために割り振られるリソースの量よりも多い、
請求項9に記載の方法。
【請求項１２】
前記SRSが、第1のサブフレームのアップリンク部分の中で送信され、
前記CSI-RSが、第2のサブフレームのダウンリンク部分の中で受信され、アップリンク送信のために割り振られる、前記第2のサブフレームの中のリソースの量が、ダウンリンク送信のために割り振られるリソースの量よりも多い、
請求項9に記載の方法。
【請求項１３】
基地局(BS)によるワイヤレス通信のための装置であって、
サウンディング基準信号(SRS)と、干渉に関するフィードバックまたは白色化行列のうちの少なくとも1つとを1つまたは複数のユーザ機器(UE)から受信するための手段であって、干渉に関する前記フィードバックまたは白色化行列のうちの少なくとも1つが、前記SRSに対して使用される回転を介して暗黙のうちに提供される、手段と、
前記SRSと、干渉に関する前記フィードバックまたは前記白色化行列のうちの少なくとも1つとに少なくとも部分的に基づいて、1つまたは複数のUEのグループへの送信用のビームフォーミングパラメータを決定するための手段と、
前記決定されたビームフォーミングパラメータを使用して、前記グループの中のUEへチャネル状態情報基準信号(CSI-RS)を送信するための手段と
を備える装置。
【請求項１４】
ユーザ機器(UE)によるワイヤレス通信のための装置であって、
サウンディング基準信号(SRS)に対する回転を決定するための手段と、
回転された前記SRSと、干渉に関するフィードバックまたは白色化行列のうちの少なくとも1つとを基地局(BS)に送信するための手段と、
ビームフォーミングされたチャネル状態情報基準信号(CSI-RS)を前記BSから受信するための手段と、
前記ビームフォーミングされたCSI-RSに基づいてCSIフィードバックを決定するための手段と、
前記CSIフィードバックを前記BSへ送信するための手段と
を備える装置。
【請求項１５】
コンピュータにより実行されたときに、前記コンピュータに請求項1から12のうちのいずれか一項に記載の方法を実行させるコードを含む、コンピュータプログラム。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
Ｎ末端テールドメインのＣｅｎＨ３モチーフブロック１において１つ又は複数のアクティブ変異を含み、前記１つ又は複数のアクティブ変異が、内在性ＣｅｎＨ３タンパク質の非存在下で発現する場合、半数体インデューサー系統として機能する植物を生産する能力をＣｅｎＨ３タンパク質に与えるものである、植物起源のＣｅｎＨ３タンパク質。
【請求項２】
前記アクティブ変異が、配列番号４のＣｅｎＨ３コンセンサスモチーフブロック１ドメインタンパク質配列の９位又は１０位、又は配列番号５のナス科ＣｅｎＨ３コンセンサスモチーフブロック１ドメインタンパク質配列の９位又は１０位にある、請求項１に記載のＣｅｎＨ３タンパク質。
【請求項３】
配列番号１、２、３、１１及び１２のうちのいずれか１つに対して少なくとも７０％の配列同一性を有する内在性ＣｅｎＨ３タンパク質に由来するか、又は
配列番号６、９、１６若しくは２０のうちのいずれか１つに対して少なくとも７０％の配列同一性を有するポリヌクレオチドによってコードされており、
好ましくは、標的化ヌクレオチド交換を使用して若しくはエンドヌクレアーゼを適用することにより、前記内在性ＣｅｎＨ３タンパク質をコードするポリヌクレオチドに変異を導入することによるものであり、好ましくは前記アクティブ変異が点変異である、請求項１又は２に記載のＣｅｎＨ３タンパク質。
【請求項４】
植物起源のＣｅｎＨ３タンパク質が、配列番号８若しくは１３のアミノ酸配列を含むか、又は配列番号７、１０、１７若しくは２１の核酸配列を含むポリヌクレオチドによってコードされる、請求項１〜３のいずれか一項に記載のＣｅｎＨ３タンパク質。
【請求項５】
請求項１〜４のいずれか一項に記載のＣｅｎＨ３タンパク質をコードするポリヌクレオチド。
【請求項６】
配列番号７、１０、１７又は２１の核酸配列を含むポリヌクレオチド。
【請求項７】
請求項５又は６に記載のポリヌクレオチドを含むキメラ遺伝子。
【請求項８】
請求項５若しくは６に記載のポリヌクレオチド又は請求項７に記載のキメラ遺伝子を含むベクター。
【請求項９】
請求項５若しくは６に記載のポリヌクレオチド、請求項７に記載のキメラ遺伝子、又は請求項８に記載のベクターを含む宿主細胞であって、好ましくは植物細胞であり、好ましくはトマト若しくはコメ植物細胞であるか、又はトマト若しくはコメプロトプラストである、宿主細胞。
【請求項１０】
好ましくは前記内在性ＣｅｎＨ３タンパク質が発現されず、好ましくは前記植物がナス属植物、好ましくはソラナム・リコペルシカム植物、又はイネ属植物、好ましくはオリザ・サティバ植物である、請求項１〜４のいずれか一項に記載のＣｅｎＨ３タンパク質を発現する植物。
【請求項１１】
請求項５若しくは６に記載のポリヌクレオチド、請求項７に記載のキメラ遺伝子、又は請求項８に記載のベクターを含む、請求項１０に記載の植物。
【請求項１２】
請求項１０又は１１に記載の植物を作製する方法であって、
ａ）植物細胞内の内在性ＣｅｎＨ３タンパク質をコードするポリヌクレオチドを修飾して、請求項１〜４のいずれか一項に記載のＣｅｎＨ３タンパク質をコードする変異ポリヌクレオチドを得るステップ、又は植物細胞に、請求項５若しくは６に記載のポリヌクレオチド、請求項７に記載のキメラ遺伝子、又は請求項８に記載のベクターを形質転換するステップと、
ｂ）前記変異ポリヌクレオチドを含む植物細胞を選択するステップと、
ｃ）任意選択で、前記植物細胞から植物を再生するステップと
を含む、方法。
【請求項１３】
半数体植物、異常な倍数性を有する植物又は倍加半数体植物を生産する方法であって、
ａ）内在性ＣｅｎＨ３タンパク質を発現する植物を、請求項１０又は１１に記載の植物へ交配するステップであって、請求項１０又は１１に記載の植物は、少なくともその生殖部分において及び／又は胚発生の間、内在性ＣｅｎＨ３タンパク質を発現しない、ステップと、
ｂ）種子を採取するステップと、
ｃ）前記種子から、少なくとも１つの実生、小植物又は植物を生育させるステップと、
ｄ）半数体実生、小植物若しくは植物；異常な倍数性を有する実生、小植物若しくは植物；又は倍加半数体実生、小植物若しくは植物を選択するステップと
を含む、方法。
【請求項１４】
倍加半数体植物を生産する方法であって、
請求項１３に記載のステップｄ）において得られた半数体実生、小植物又は植物を倍加半数体植物に転換するステップを含む、方法。
【請求項１５】
半数体インデューサー系統を生産するための請求項５又は６に記載のポリヌクレオチドの使用。
【手続補正書】
【提出日】令和2年3月18日(2020.3.18)
【手続補正１】
【補正対象書類名】明細書
【補正対象項目名】００５０
【補正方法】変更
【補正の内容】
【００５０】
【図１】１つの遠心分離機と１つの交差流送風機を備える本発明の小型熱回収換気システムの第１の実施形態を示す斜視図（ダクトおよびフィルタは図示しない）。
【図２】２つの交差流送風機を備える本発明の小型熱回収換気システムの第２の実施形態を示す斜視図（ダクトおよびフィルタは図示しない）。
【図３】モータ要素を含む一体型交差流送風機を示す図２から交差流送風機のうちの１つを露出させた露出図。
【図４】ダクトを含む本発明の第２の実施形態を示す斜視図。
【図５】本発明のために流れ側変更型熱交換器を用いた小型熱回収換気システムの壁又は天井の内部への取り付けのオプションを示す概略図。
【図６】本発明の流れ側変更型熱交換器を用いた小型熱回収換気システムの壁又は天井の内部への取り付けのオプションを示す概略図。
【図７】本発明のために流れ側変更型熱交換器を用いた小型熱回収換気システムの壁又は天井の内部に設置するためのオプションを示す概略図。
【図８】本発明のために従来の熱交換器を用いた熱回収システムの壁又は天井の内部に取り付けるためのオプションを示す概略図。
【図９】本発明のために従来の熱交換器を用いた熱回収システムの壁又は天井の内部に取り付けるためのオプションを示す概略図。
【図１０】本発明のために従来の熱交換器を用いた熱回収システムの壁又は天井の内部への取り付けのオプションを示す概略図。
【図１１】本発明のために流れ側変更型熱交換器を用いた小型熱回収換気システムの壁又は天井への取り付けのオプションを示す概略図。
【図１２】本発明のために流れ側変更型熱交換器を用いた小型熱回収換気システムの壁又は天井への取り付けのオプションを示す概略図。
【図１３】本発明のために従来の熱交換器を用いた小型熱回収換気システムの壁又は天井への取り付けのオプションを示す概略図。
【図１４】本発明のために従来の熱交換器を用いた小型熱回収換気システムの壁又は天井への取り付けのオプションを示す概略図。
【図１５】送風機、熱交換器、フィルタ、排ガスダクトを備えた消音器をはじめ、全部が長さ方向に接続された構成要素を示す平面概略図。
【図１６】送風機、熱交換器、フィルタ、新鮮ガスダクトを備える消音器をはじめ、全部が長さ方向に接続された構成要素を示す平面概略図。
【図１７】ハウジング内に配置された一体型モータを備える２つの送風機の断面図。
【図１８ａ】吸入口および排出口から見た従来の熱交換器の図を示す図。
【図１８ｂ】流れ導管に沿った従来の熱交換器の断面図。
【図１９ａ】一方の開口端部から見た流れ側変更型波形フィン熱交換器の正面図。
【図１９ｂ】他方の開口端部から見た同一熱交換器の背面図。
【図１９ｃ】奇数の流れ側変更型流れ導管の１つに沿った断面図。
【図１９ｄ】偶数の流れ側変更型流れ導管の１つに沿った断面。
【図２０ａ】一方の開口端部から見た流れ側変更型平板フィン熱交換器の３ｄ断面図（上部外側パネルは図示しない）。
【図２０ｂ】他方の開口端部から見た流れ側変更型平板フィン熱交換器の３ｄ断面図（上部外側パネルは図示しない）。
【図２０ｃ】奇数の流れ側変更型流れ導管の１つに沿った断面図。
【図２０ｄ】偶数の流れ側変更型流れ導管の１つに沿った断面図。
【図２１】熱交換器と送風機との間にＬ字形の移行ダクトを有する本発明の第２の実施形態を示す斜視図。
【図２２】Ｌ字型熱交換器を備えた本発明の第２の実施形態を示す斜視図。
【図２３】熱交換器アセンブリと空気モジュールアセンブリとの間に２つの移行ダクトを有する本発明の第２の実施形態を示す斜視図。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
対象物の画像ショットの画像データを取得する画像取得部と、
前記画像内の前記対象物上の所定の画像領域を選択する領域選択部と、
前記画像データの色値から、前記画像領域における前記色値の平均である平均色値を計算する平均値計算部と、
前記平均色値と、前記平均色値と同じ色空間における比較対象の色値との間の色差を計算する色差計算部と、
前記色差に関する情報を出力する出力部と
を含む装置。
【請求項２】
前記領域選択部は、前記画像内の前記画像領域の位置によって、前記平均色値が所定の許容範囲より大きく変化しない面積及び形状を有する領域を、前記画像領域として選択する、請求項１に記載の装置。
【請求項３】
前記領域選択部は、特定の面積及び形状を有する領域が前記画像内で移動したときに前記領域内の前記平均色値が所定の許容範囲より大きく変化しない位置における、前記特定の面積及び形状を有する前記領域を前記画像領域として選択する、請求項１に記載の装置。
【請求項４】
前記領域選択部は、前記画像を撮影する撮像部と前記対象物との間の距離を、前記画像データに付加された撮像情報から取得し、前記距離が短いほど大きい面積を有する画像領域を選択する、請求項１に記載の装置。
【請求項５】
前記領域選択部は、前記画像内の輝度値が輝度値限界を超える画素領域を除いて前記画像領域を選択する、請求項１に記載の装置。
【請求項６】
画像を撮影する撮像部を更に含む、請求項１に記載の装置。
【請求項７】
前記平均色値と同じ色空間における色値である複数の基準色値、及び互いに関連する複数の対象物の識別情報を記憶する記憶部と、
前記画像内の前記対象物の前記識別情報を取得する識別情報取得部と、
前記色差が所定の色差範囲内にあるか否かを判定する判定部と、を更に含み、
前記色差計算部は、前記複数の基準色値のうちで前記識別情報に対応する基準色値と前記平均色値との間の色差を計算し、
前記出力部は、前記判定部による前記判定の結果を出力する、請求項１に記載の装置。
【請求項８】
前記画像取得部が、第１の対象物を撮影することによって得られた第１の画像データ及び第２の対象物を撮影することによって得られた第２の画像データを、前記画像データとして取得し、
前記平均値計算部が、前記第１の画像データの第１の平均色値を前記平均色値として計算し、前記第２の画像データの第２の平均色値を前記比較対象の前記色値として計算し、
前記色差計算部が、前記第１の平均色値と前記第２の平均色値との間の色差を計算し、
前記出力部が、前記色差が所定の色差範囲内にあるか否かを示す情報を出力する、請求項１に記載の装置。
【請求項９】
前記第１の対象物が印刷物であり、
前記色差が前記色差範囲内にない場合に前記色差が小さくなるように前記印刷物の印刷データの色値を補正する、印刷データ補正部を更に含む、請求項８に記載の装置。
【請求項１０】
端末装置と、
サーバ装置とを含むシステムであって、
前記端末装置及び前記サーバ装置は、互いに通信可能に接続され、
前記端末装置は、
対象物の画像ショットの画像データを取得する画像取得部と、
前記画像内の前記対象物上の所定の画像領域を選択する領域選択部と、
前記画像データの色値から、前記画像領域における前記色値の平均である平均色値を計算する平均値計算部と、
前記サーバ装置から受信した基準色値と前記平均色値との間の色差を計算する色差計算部と、
前記画像内の前記対象物の識別情報を前記サーバ装置に送信し、前記識別情報によって示された前記対象物に対応する基準色値を前記サーバ装置から受信する、端末通信部と、
前記色差に関する情報を出力する、出力部と、を含み、
前記サーバ装置は、
前記平均色値と同じ色空間における色値である複数の基準色値、及び互いに関連する複数の対象物の識別情報を記憶する、記憶部と、
前記識別情報を前記端末装置から受信し、前記複数の基準色値のうちの前記識別情報によって示された前記対象物に対応する基準色値を前記端末装置に送信する、サーバ通信部と、を含む、システム。